(57)【要約】清掃具では、芯体（１）の一端部（１０）は、該一端部（１０）を起点として芯体（１）を本体部（２）に対して可動可能となるように、本体部（２）の一端支持部（２０）に連結されており、芯体（１）の他端部（１１）は、本体部（２）の他端支持部（２１）に係脱可能に係止されるように構成されており、他端部（１１）が他端支持部（２１）に係止された状態では、一端部（１０）を起点とした芯体（１）の前記可動は規制されており、前記係止が解除された状態では、一端部（１０）が起点となり、他端部（１１）が他端支持部（２１）から開放された自由端となって、芯体（１）が本体部（２）に対して可動するように構成されていることを特徴とする。
2015052835.tif 000002
【特許請求の範囲】
【請求項１】
少なくとも一方の面が粘着面となっているテープ状基材を、中心線上に筒状に巻回してなる粘着テープロールの筒孔に挿通される芯体と、該芯体が設けられる本体部とを備え、本体部は、芯体の挿通方向における一端部と他端部とを各々支持するための一端支持部と他端支持部とを有する清掃具であって、  芯体の一端部は、該一端部を起点として芯体を本体部に対して可動可能となるように、本体部の一端支持部に連結されており、  芯体の他端部は、本体部の他端支持部に係脱可能に係止されるように構成されており、他端部が他端支持部に係止された状態では、一端部を起点とした芯体の前記可動は規制されており、前記係止が解除された状態では、一端部が起点となり、他端部が他端支持部から開放された自由端となって、芯体が本体部に対して可動するように構成されていることを特徴とする清掃具。
【請求項２】
芯体の他端部と本体部の他端支持部とのいずれか一方に、凹部が設けられ、他方に、前記凹部に嵌合される凸部が設けられており、  他端部と他端支持部との前記係止は、凹部と凸部とによる凹凸嵌合であることを特徴とする請求項１記載の清掃具。
【請求項３】
芯体の他端部と本体部の他端支持部とのいずれか少なくとも一方は、前記係止の際に凸部を凹部に向けて又は凹部を凸部に向けて誘導し、前記係止の解除の際に凹部から凸部を離す方向に又は凸部から凹部を離す方向に誘導するガイド部を備えていることを特徴とする請求項２記載の清掃具。
【発明の詳細な説明】
【技術分野】
【０００１】  本発明は、少なくとも一方の面が粘着面となっているテープ状基材を、中心線上に筒状に巻回してなる粘着テープロールを取付けて使用するための清掃具に関する。
【背景技術】
【０００２】  従来、この種の清掃具として、粘着ローラの筒孔に挿通される芯軸と、芯軸の両端部を回転自在に支持するローラ支持体と、使用者が保持するための支持筒部とを備えるものが知られている（例えば、特許文献１）。【０００３】  かかる清掃具では、粘着ローラを取り付けるときには、芯軸の両端部をローラ支持体から取り外して、芯軸に粘着ローラを取り付けた後、芯軸の両端部をローラ支持体に取り付けている。一方、清掃具から粘着ローラを取り外すときには、芯軸の両端部をローラ支持体から取り外して、芯軸から粘着ローラを取り外し、芯軸の両端部をローラ支持体に取り付けている。
【先行技術文献】
【特許文献】
【０００４】
【特許文献１】日本国特開２００３−１９００６６号公報
【発明の概要】
【発明が解決しようとする課題】
【０００５】  しかしながら、上記従来の清掃具では、上記のように粘着ローラの着脱に際し、ローラ支持体から芯軸の両端部を一旦取り外して、芯軸に対して粘着ローラを着脱した後、芯軸の両端部をローラ支持体に取り付け直すという一連の行為を要するため、粘着ローラの着脱が煩雑であるという問題があった。【０００６】  そこで、本発明は、上記問題に鑑みてなされたもので、粘着テープロールを容易に着脱できる清掃具を提供することを課題とする。
【課題を解決するための手段】
【０００７】  本発明に係る清掃具は、上記課題を解決するためになされたもので、少なくとも一方の面が粘着面となっているテープ状基材を、中心線上に筒状に巻回してなる粘着テープロールの筒孔に挿通される芯体と、該芯体が設けられる本体部とを備え、本体部は、芯体の挿通方向における一端部と他端部とを各々支持するための一端支持部と他端支持部とを有する清掃具であって、芯体の一端部は、該一端部を起点として芯体を本体部に対して可動可能となるように、本体部の一端支持部に連結されており、芯体の他端部は、本体部の他端支持部に係脱可能に係止されるように構成されており、他端部が他端支持部に係止された状態では、一端部を起点とした芯体の前記可動は規制されており、前記係止が解除された状態では、一端部が起点となり、他端部が他端支持部から開放された自由端となって、芯体が本体部に対して可動するように構成されていることを特徴とする。【０００８】  かかる清掃具によれば、芯体の他端部と本体部の他端支持部との係止が解除された状態では、芯体の他端部が自由端となり、一端部を起点として芯体が本体部に対して可動可能であるため、清掃具に粘着テープロールを着脱するとき、芯体の他端部と本体部の他端支持部との係止を解除し、一端部を起点にして芯体を本体部に対して所望位置まで移動させて、芯体の他端部と本体部の他端支持部とを十分に離間させることによって、芯体に対して他端部側から一端部側に向けて又はその逆向きに粘着テープロールをその筒孔を介して容易に着脱できる。【０００９】  なお、かかる清掃具では、芯体の他端部が本体部の他端支持部に係止された状態では、一端部を起点とした芯体の前記可動は規制されるため、粘着テープロールを使用するときには、粘着テープロールが取り付けられた芯体の他端部を本体部の他端支持部に係止し、一端部を起点とした芯体の可動を規制することで、芯体に取り付けられた粘着テープロールを適切に回転使用できる。【００１０】  また、本発明に係る清掃具では、芯体の他端部と本体部の他端支持部とのいずれか一方に、凹部が設けられ、他方に、前記凹部に嵌合される凸部が設けられており、他端部と他端支持部との前記係止は、凹部と凸部とによる凹凸嵌合であるように構成されることも可能である。【００１１】  かかる清掃具では、芯体の他端部は、凹凸嵌合によって本体部の他端支持部に確実かつ容易に係止できるので、一端部を起点とした芯体の前記可動を確実に規制できる。【００１２】  また、本発明に係る清掃具では、芯体の他端部と本体部の他端支持部とのいずれか少なくとも一方は、前記係止の際に凸部を凹部に向けて又は凹部を凸部に向けて誘導し、前記係止の解除の際に凸部を凹部から離す方向に又は凹部を凸部から離す方向に誘導するガイド部を備えるように構成されることも可能である。【００１３】  かかる清掃具では、ガイド部による誘導によって、芯体の他端部を本体部の他端支持部に容易に係止できると共に、該係止を容易に解除することができる。
【発明の効果】
【００１４】  以上のように、本発明に係る清掃具によれば、芯体の他端部と本体部の他端支持部との係止が解除された状態では、芯体の他端部が自由端となり、一端部を起点として芯体が本体部に対して可動可能であるため、清掃具に粘着テープロールを着脱するとき、芯体の他端部と本体部の他端支持部との係止を解除し、一端部を起点にして芯体を本体部に対して所望位置まで移動させて、芯体の他端部と本体部の他端支持部とを十分に離間させることによって、芯体に対して他端部側から一端部側に向けて又はその逆向きに粘着テープロールをその筒孔を介して容易に着脱できるという効果を奏する。
【図面の簡単な説明】
【００１５】
【図１】本発明の一実施形態に係る清掃具の正面図を示す。
【図２】同清掃具の背面図を示す。
【図３】同清掃具の右側面図を示す。
【図４】同清掃具の左側面図を示す。
【図５】図３のＡ−Ａ線断面図を示す。
【図６】同清掃具の芯体を一端部を起点として可動させた状態の図を示す。
【発明を実施するための形態】
【００１６】  以下、本発明に係る清掃具の一実施形態について、図面を参照しつつ説明する。
【００１７】  本実施形態に係る清掃具は、少なくとも一方の面が粘着面となっているテープ状基材を、中心線上に筒状に巻回してなる清掃用の粘着テープロールを取付けて用いられるものである。尚、詳細には、粘着テープロールは、中心線上に沿って軸孔が形成されるように、テープ状基材を粘着面である一方の面を外側にして中心線の周りに巻回してなる。
【００１８】  清掃具は、図１から図４に示すように、粘着テープロール（図示せず）の軸孔（筒孔）に挿通される芯体１と、該芯体１が設けられる本体部２とを備える。
【００１９】  芯体１は、本実施形態では、一方向に長尺な形状をなす。芯体１は、本実施形態では、円柱状の芯体本体部１ａで構成される。この芯体１では、芯体本体部１ａの長手方向、又は、粘着テープロールの軸孔に挿通される挿通方向の一端側を一端部１０とし、他端側を他端部１１とする（図１参照）。
【００２０】  一端部１０は、芯体本体部１ａから長手方向に設けられる基部１２ａと、該基部１２ａの長手方向端部に一体的に設けられ、長手方向に交差する奥行方向に沿う軸部１２ｂ（本実施形態では、円柱体）とからなる連結部１２を有する（図１，３参照）。かかる連結部１２は、芯体本体部１ａを長手方向に沿って投影した投影幅内に収まるようになっている。
【００２１】  他端部１１は、芯体本体部１ａから長手方向に設けられる水平部１３ａと、該水平部１３ａの長手方向端部から立設される立設部１３ｂとからなる係止部１３を有する（図１，４，５，６参照）。係止部１３は、立設部１３ｂの内面側において、長手方向の内向き（他端部１１から一端部１０に向かう方向）に凸状をなす凸部１３ｃを有する（図５，６参照）。また、係止部１３の立設部１３ｂにおける先端部は、立設方向かつ長手方向の外向き（一端部１０から他端部１１に向かう方向）に沿って形成されており、ガイド部１３ｄとして構成される（図４，５，６参照）。かかる係止部１３は、芯体本体部１ａを長手方向に沿って投影した投影幅内に収まるようになっている。
【００２２】  本体部２は、芯体１の一端部１０と他端部１１とを支持するように構成される。この本体部２は、一方向に長尺な壁部である本体支持部２ａを有する（図１参照）。本体支持部２ａの長手方向の両端部には、芯体１の長手方向（挿通方向）における一端部１０と他端部１１とを各々支持するための一端支持部２０と他端支持部２１とが対向して設けられている。また、本体支持部２ａの長手方向中央部には、把持可能な取手３が設けられている。
【００２３】  一端支持部２０は、本体支持部２ａの長手方向の一端部から垂設される側壁部であり、芯体１の一端部１０に対応するように構成される。一端支持部２０は、一端部１０の連結部１２に連結するために、軸部１２ｂを奥行方向に沿う中心軸周りに回転可能に支持する軸受け部２０ａを有する（図１，３，５，６参照）。軸受け部２０ａは、軸部１２ｂの両端部を挿通させる貫通孔、又は、軸部１２ｂの両端部を嵌合させる嵌合凹部を有して構成され得る。本実施形態の軸受け部２０ａは、奥行方向に対向する一対の壁部で構成され、一対の壁部には各々、軸部１２ｂの端部を挿通させる貫通孔が設けられている。
【００２４】  他端支持部２１は、本体支持部２ａの長手方向の他端部から垂設される側壁部であり、芯体１の他端部１１に対応するように構成される。他端支持部２１は、一端支持部２０に対向する内面の反対面である外面に、芯体１の他端部１１の凸部１３ｃが嵌合されるための凹状の凹部２１ａを有する（図５，６参照）。本実施形態では、凹部２１ａは、芯体１の凸部１３ｃ形状に対応する窪み部で構成されるが、芯体１の凸部１３ｃ形状に対応する貫通孔であっても良い。また、他端支持部２１の外面には、他端部１１の立設部１３ｂの奥行方向の寸法よりも僅かに大きい寸法だけ奥行方向に互いに離間した一対の縁壁部２１ｂ，２１ｂが長手方向に凸設されている（図１，４参照）。
【００２５】  取手３は、本実施形態では、棒状をなす。具体的には、取手３は、本体支持部２ａの長手方向に交差（本実施形態では、直交又は略直交）する方向に長尺な前壁部３０を有する。前壁部３０の奥行方向前面３０ａは、短手方向の中央部に奥行方向前方に凸をなすように湾曲形状をなしており、この前面３０ａには、長手方向の先端（本体支持部２ａに設置される基端と反対側の端部）側に奥行方向に沿う貫通孔Ｐが穿設されている（図１，３参照）。また、前壁部３０の奥行方向裏面３０ｂにおける短手方向の両端部には、奥行方向裏方に凸設される一対の側壁部３１，３１が長手方向に沿って設けられており、前壁部３０の長手方向の先端側には、奥行方向裏方に凸設される上壁部３２が設けられている（図２参照）。更に、前壁部３０の奥行方向裏面３０ｂにおける短手方向の中央部には、一対の側壁部３１，３１よりも高く奥行方向裏方に凸設される中央壁部３３が長手方向に沿って設けられている（図２，３参照）。
【００２６】  以上の構成からなる清掃具では、芯体１の一端部１０は、該一端部１０を起点として芯体１を本体部２に対して可動可能にすべく、本体部２の一端支持部２０に連結して支持されている。具体的には、一端部１０の軸部１２ｂの両端部は、軸部１２ｂの中心軸周りに回転可能に一端支持部２０の軸受け部２０ａに連結されることで、本体部２の一端支持部２０は、芯体１の一端部１０を支持している。即ち、芯体１は、一端部１０を起点として本体部２に対して回動するようになっている（図６参照）。
【００２７】  また、芯体１の他端部１１は、本体部２の他端支持部２１に係脱可能に係止される。具体的には、芯体１を一端部１０を起点として回動させて、他端部１１における係止部１３の内面側と他端支持部２１の外面側とが対向するように、他端部１１と他端支持部２１とを互いに近づける。このとき、他端部１１の係止部１３（立設部１３ｂ）における内面側の凸部１３ｃを、他端支持部２１の外面側の凹部２１ａに向けて又は凹部２１ａを凸部１３ｃに向けて、他端部１１のガイド部１３ｄを他端支持部２１の一対の縁壁部２１ｂ，２１ｂ間に沿って移動（又は摺動）させる。そして、他端部１１の凸部１３ｃが、他端支持部２１の凹部２１ａに嵌合されることで、芯体１の他端部１１は、本体部２の他端支持部２１に係止される。このように、他端部１１が他端支持部２１に係止された状態では、他端部１１は支持端として他端支持部２１に支持され、一端部１０を起点とした芯体１の回動は規制される（図１，５参照）。
【００２８】  一方、他端部１１の係止部１３における凸部１３ｃを他端支持部２１の凹部２１ａから離す方向に又は凹部２１ａを凸部１３ｃから離す方向に、他端部１１のガイド部１３ｄを他端支持部２１の一対の縁壁部２１ｂ，２１ｂ間に沿って移動（又は摺動）させる。そして、他端部１１の凸部１３ｃと他端支持部２１の凹部２１ａとの嵌合が外されると、芯体１の他端部１１と本体部２の他端支持部２１との係止が解除される。このように両者の係止が解除された状態では、他端支持部２１による支持が解除された他端部１１は自由端として他端支持部２１から開放され、一端部１０を起点として芯体１が本体部２に対して回動する。このような本体部２に対する芯体１の回動では、図６に示すように、一端部１０を起点にして芯体１を本体部２に対して所望位置まで移動させて、芯体１の他端部１１と本体部２の他端支持部２１とを離間させることができる。
【００２９】  以上のように、本実施形態に係る清掃具によれば、芯体１の他端部１１と本体部２の他端支持部２１との係止が解除された状態では、芯体１の他端部１１が自由端となり、一端部１０を起点として芯体１が本体部２に対して回動可能であるため、清掃具に粘着テープロールを着脱するとき、芯体１の他端部１１と本体部２の他端支持部２１との係止を解除し、一端部１０を起点にして芯体１を本体部２に対して所望位置まで移動させて、芯体１の他端部１１と本体部２の他端支持部２１とを十分に離間させることによって、芯体１に対して他端部１１側から一端部１０側に向けて又はその逆向きに粘着テープロールをその軸孔を介して容易に着脱できる。
【００３０】  また、かかる清掃具では、芯体１の他端部１１が本体部２の他端支持部２１に係止された状態では、一端部１０を起点とした芯体１の回動は規制されるため、粘着テープロールを使用するときには、粘着テープロールが取り付けられた芯体１の他端部１１を本体部２の他端支持部２１に係止し、一端部１０を起点とした芯体１の回動を規制することで、芯体１に取り付けられた粘着テープロールを適切に回転使用できる。
【００３１】  また、かかる清掃具では、芯体１の他端部１１は、凹凸嵌合によって本体部２の他端支持部２１に確実かつ容易に係止できるので、一端部１０を起点とした芯体１の回動を確実に規制できる。
【００３２】  また、かかる清掃具では、他端部１１のガイド部１３ｄが他端支持部２１の一対の縁壁部２１ｂ，２１ｂの間に沿って摺動することで、他端部１１と他端支持部２１との係止の際には、他端部１１の凸部１３ｃが他端支持部２１の凹部２１ａに向けて又は凹部２１ａが凸部１３ｃに向けて誘導され、芯体１の他端部１１を本体部２の他端支持部２１に容易に係止できる。
【００３３】  一方、かかる清掃具では、他端部１１と他端支持部２１との係止を解除する際には、ガイド部１３ｄが一対の縁壁部２１ｂ，２１ｂの間に沿って摺動することで、凸部１３ｃが凹部２１ａから離される方向に又は凹部２１ａが凸部１３ｃから離される方向に誘導され、他端部１１と他端支持部２１との係止を容易に解除できる。更に、かかる清掃具では、ガイド部１３ｄに指を掛けることにより、他端部１１を他端支持部２１に対して容易に移動させて、他端部１１と他端支持部２１との係止又は該係止の解除をすることできる。
【００３４】  また、かかる清掃具では、芯体１の連結部１２及び係止部１３は、芯体本体部１ａを長手方向に沿って投影した投影幅内に収まるようになっているため、芯体本体部１ａに粘着テープロールの軸孔を挿通させる際、或いは、芯体本体部１ａから粘着テープロールを取り外す際、連結部１２及び係止部１３が粘着テープロールの移動を阻害することなく、粘着テープロールを芯体１に対して円滑に移動させることができる。
【００３５】  また、かかる清掃具では、把持可能な取手３を備えているため、清掃具に取り付けた粘着テープロールを回転使用する際や、粘着テープロールを着脱する際に、取手３を把持して作業することができ、作業性を向上させることができる。
【００３６】  また、かかる清掃具では、取手３に貫通孔Ｐが設けられており、例えば、清掃具を使用しないときなどに、壁から吊り下げられたフックなどの鉤爪部に貫通孔Ｐを介して引っ掛けることで、床面等に載置させることを要さす、整理整頓することができる。
【００３７】  また、かかる清掃具では、取手３の前面３０ａにおける短手方向の中央部は、奥行方向前方に凸をなすように湾曲形状をなし、かつ、取手３の裏面３０ｂにおける短手方向の中央部には、両端側の一対の側壁部３１，３１よりも高く奥行方向裏面３０ｂ側に凸設される中央壁部３３が長手方向に沿って設けられている。そのため、かかる清掃具では、取手３を把持した際に、握った手のひらの湾曲面を取手３の前面３０ａ又は裏面３０ｂ側の形状になじませ易く、或いは、指の曲げ起点である関節部を取手３の短手方向に沿う周方向の角部になじませ易いため、取手３を把持し易い。
【００３８】  尚、本発明に係る清掃具は、上記実施形態に限定されるものではなく、本発明の要旨を逸脱しない範囲で種々の変更が可能である。
【００３９】  例えば、本実施形態では、芯体１は、円柱状で構成される場合について説明したが、これに限らず、芯体１は、多角柱状や、長手方向の一端部側から他端部側に向かって先細りする形状など種々の形状も可能であり、また、長手方向に沿って内部に中空部又は貫通孔が設けられた形状も可能である。
【００４０】  また、本実施形態では、芯体１の連結部１２は、基部１２ａと軸部１２ｂとで構成される場合について説明したが、これに限らず、連結部１２は、本体部２の他端支持部２１と一体的又は別体にヒンジで連結され、ヒンジを起点にして芯体１を本体部２に回動可能にすることも可能である。また、連結部１２は、連結部１２を起点として多軸周り(例えば、２軸や３軸周り)可能に他端支持部２１に連結されることや、或いは、連結部１２は、ボールジョイントを介して他端支持部２１に連結されることも可能である。
【００４１】  その他、連結部１２は、他端支持部２１に回動可能に連結される場合に限らず、連結部１２は、他端支持部２１に直動可能に連結されることも可能である。例えば、連結部１２と他端支持部２１とのいずれか一方は、レール部を有し、他方は、レール部に係合して摺動する摺動部を有し、連結部１２が他端支持部２１に対して直線運動（又は直線的に可動）するように構成されることが可能である。 
【００４２】  また、本実施形態では、芯体１の他端部１１と本体部２の他端支持部２１との係止において、他端部１１の係止部１３を他端支持部２１の外面側にして、係止部１３の内面の凸部１３ｃを、他端支持部２１の外面の凹部２１ａに嵌合する場合について説明したが、これに限らず、芯体１の他端部１１と本体部２の他端支持部２１との係止において、他端部１１の係止部１３を他端支持部２１の内面側にして、係止部１３の外面の凸部１３ｃを、他端支持部２１の内面の凹部２１ａに嵌合するような構成を採用することも可能である。この場合、係止部１３（立設部１３ｂ）の外面に凸部１３ｃが形成され、他端支持部２１の内面に凹部２１ａが形成される。
【００４３】  また、本実施形態では、芯体１の係止部１３に凸部１３ｃが設けられ、本体部２の他端支持部２１に凹部２１ａが設けられる場合について説明したが、これに限らず、芯体１の係止部１３に凹部（孔部も含む）が設けられ、本体部２の他端支持部２１に係止部１３の凹部に嵌合される凸部が設けられることも可能である。
【００４４】  また、本実施形態では、係止部１３は、水平部１３ａと立設部１３ｂとを有し、立設部１３ｂが凸部１３ｃを有して構成される場合について説明したが、これに限らず、係止部１３は、芯体本体部１ａから長手方向に凸設される凸部として構成されることも可能である。この場合、他端支持部２１は、係止部１３（凸部）に嵌合する凹部（孔部も含む）を有して構成される。芯体１の他端部１１と本体部２の他端支持部２１との係止では、他端部１１の係止部１３を他端支持部２１の内面側にして、他端支持部２１の内面の凹部に係止部１３を嵌合する。或いは、係止部１３は、芯体本体部１ａから長手方向に沿って設けられる凹部（孔部を含む）であり、他端支持部２１は、係止部１３（凹部）に嵌合する凸部を有して構成されることも可能である。芯体１の他端部１１と本体部２の他端支持部２１との係止では、他端部１１の係止部１３を他端支持部２１の内面側にして、他端支持部２１の内面の凸部に係止部１３を嵌合する。
【００４５】  その他に、係止部１３の立設部１３ｂは、立設方向に沿う両側端部において、奥行方向に沿う凹部を有し、他端支持部２１の内面又は外面には、凹部に嵌合する凸部が長手方向に立設されるように構成されることも可能である。
【００４６】  更にその他に、係止部１３の立設部１３ｂは、奥行方向の前方及び／又は裏方に凸設される凸部を有し、他端支持部２１の一対の縁壁部２１ｂ，２１ｂ又は他壁部に係止部１３の凸部に嵌合する凹部が凹設されるように構成されることも可能である。
【００４７】  また、係止部１３の凸部１３ｃを他端支持部２１の凹部２１ａに導くように、他端支持部２１には、垂設方向端部から凹部２１ａに連通する誘導部（長手方向に沿う凹状の窪み又は貫通孔）が垂設方向に沿って設けられることも可能である。この誘導部の奥行方向の寸法は、凸部１３ｃ及び凹部２１ａの奥行方向の寸法よりも小さく構成することで、凹部２１ａから凸部１３ｃが不用意に外れないようにすることができる。
【００４８】  また、本実施形態では、他端部１１と他端支持部２１との係止は、凸部１３ｃと凹部２１ａとの凹凸嵌合による場合について説明したが、これに限らず、他端部１１は、他端支持部２１を引掛けて係止する鉤爪状のフック部を有し、又は、他端支持部２１は、他端部１１を引掛けて係止する鉤爪状のフック部を有して、フック部の引掛けによって、他端部１１と他端支持部２１とを係止させることも可能である。
【００４９】  その他に、他端部１１は、他端支持部２１に向けて付勢される付勢手段を有し、又は、他端支持部２１は、他端部１１に向けて付勢される付勢手段を有して、付勢手段による付勢力によって、他端部１１と他端支持部２１とを係止させることも可能である。
【００５０】  また、本実施形態では、粘着テープロールは、中心線上に沿って軸孔が形成されるように、テープ状基材を粘着面である一方の面を外側にして中心線の周りに巻回してなる構成について説明したが、これに限らず、粘着テープロールは、中心線上に沿って軸孔が形成されるように、テープ状基材を粘着面である一方の面を内側にして中心線の周りに巻回してなる構成でも良いし、粘着テープロールは、テープ状基材の一方及び他方の面がともに粘着面で構成されることも可能である。
【符号の説明】
【００５１】  １…芯体、１ａ…芯体本体部、１０…一端部、１１…他端部、１２…連結部、１２ａ…基部、１２ｂ…軸部、１３…係止部、１３ａ…水平部、１３ｂ…立設部、１３ｃ…凸部、１３ｄ…ガイド部、２…本体部、２ａ…本体支持部、２０…一端支持部、２０ａ…軸受け部、２１…他端支持部、２１ａ…凹部、２１ｂ，２１ｂ…一対の縁壁部、３…取手、３０…前壁部、３０ａ…前壁部の前面、３０ｂ…前壁部の裏面、３１，３１…一対の側壁部、３２…上壁部、３３…中央壁部
【図１】
2015052835.tif 000003
【図２】
2015052835.tif 000004
【図３】
2015052835.tif 000005
【図４】
2015052835.tif 000006
【図５】
2015052835.tif 000007
【図６】
2015052835.tif 000008
【国際調査報告】
2015052835.tif 000009
2015052835.tif 000010
2015052835.tif 000011
2015052835.tif 000012